(57)【特許請求の範囲】
【請求項１】
略水平方向に設けられ一側縁部に位置した水平な軸部を中心として手動により軸周りに揺動自在な板状の蓋部材と、上記軸部と平行な軸であって上記軸部から所定間隔離れた位置で上記蓋部材に一端が軸支された揺動自在なアーム部材と、上記アーム部材の他端を水平方向にガイドするガイド部材と、上記ガイド部材の内側に設けられ上記アーム部材の他端に軸支され上記アーム部材とともに上記ガイド部材に沿って摺動可能なスライダと、上記スライダに設けられ上記蓋部材が閉じる状態の直前で当接面に当たり圧縮され始め上記蓋部材が閉じた位置で圧縮状態となり上記蓋部材を開く方向へ付勢するコイルバネが設けられたことを特徴とする換気用開閉部材。
【請求項２】
上記ガイド部材には上記スライダを所定位置で係止する係止部が設けられ、上記スライダを係止して上記蓋部材を所定角度に保持可能に設けられたことを特徴とする請求項１記載の換気用開閉部材。
【発明の詳細な説明】
【０００１】
【発明の属する技術分野】
この発明は、高層ビル等の室内に設けられ、外気との換気を行うための室内側の換気口に取り付けられる換気用開閉部材に関する。
【０００２】
【従来の技術】
従来、高層ビルは窓ガラスが開閉しないように作られているが、必用に応じて換気可能にする換気口が、窓際に設けられたものがある。この換気口の構造は、室内側においては水平方向に上向きに設けられ、換気口の周囲には枠部材が設けられている。枠部材には、開閉自在な板状の蓋部材が軸支され揺動自在に設けられ、蓋部材にはダンパーが設けられている。蓋部材のダンパーは、蓋部材を枠部材側に閉じるときに、蓋部材が自重により勢いよく枠部材にぶつからないように速度を緩め、閉じる際の衝撃を緩和している。
【０００３】
【発明が解決しようとする課題】
上記従来の技術の場合、蓋部材にダンパーを設けて衝撃を緩和しており、構造が複雑でコストがかかるものである。しかし、ダンパーを設けないと、蓋部材が自重により勢いよく枠部材にぶつかるため、音や振動が発生し、また指をはさむと危険である。このためダンパー以外の手段で、緩やかに閉めることができる開閉部材が望まれている。
【０００４】
この発明は上記従来の問題点に鑑みてなされたものであり、簡単な構造で製造が安価であり、ゆっくりと閉めることが可能な換気用開閉部材を提供することを目的とする。
【０００５】
【課題を解決するための手段】
この発明は、略水平方向に設けられ一側縁部に位置した水平な軸部を中心として手動により軸周りに揺動自在な板状の蓋部材と、上記軸部と平行な軸であって上記軸部から所定間隔離れた位置で上記蓋部材に一端が軸支された揺動自在なアーム部材と、上記アーム部材の他端を水平方向にガイドするガイド部材と、上記ガイド部材の内側に設けられ上記アーム部材の他端に軸支され上記アーム部材とともに上記ガイド部材に沿って摺動可能なスライダと、上記スライダに設けられ上記蓋部材が閉じる状態の直前で当接面に当たり圧縮され始め上記蓋部材が閉じた位置で圧縮状態となり上記蓋部材を開く方向へ付勢するコイルバネが設けられた換気用開閉部材である。そして上記蓋部材は、略水平面上に開口した換気口に開閉自在に設けられている。上記換気口の周囲には枠部材が設けられ、上記枠部材には上記蓋部材が軸支され、上記ガイド部材が取り付けられている。
【０００６】
また、上記コイルバネは、上記蓋部材が閉まるときに上記スライダが移動する方向へ向かって突出している。そして上記ガイド部材には、上記スライダの移動方向に対して略直角に対面し上記コイルバネが当接する当接面が設けられている。
【０００７】
また、上記ガイド部材には、上記スライダを所定位置で係止する係止部が設けられている。そして、上記係止部は透孔や凹部であり、上記スライダには上記透孔に対面する位置に、外側に付勢されて突没可能な係止突起が設けられている。上記スライダの上記係止突起が上記ガイド部材の上記透孔に一致したとき、上記係止突起が上記透孔に差し込まれて係止される。そして、上記スライダを上記ガイド部材の所定位置に係止して、上記蓋部材を上記ガイド部材に対して所定角度で保持する。なお、上記ガイド部材の係止部と、上記スライダの係止突起とが、逆に付いていても良いものである。
【０００８】
この発明の換気用開閉部材は、蓋部材を閉める方向へ揺動させると、アーム部材は蓋部材とともに揺動し、アーム部材の先端に連結されたスライダはガイド部材に沿って水平方向に移動する。蓋部材が閉まる直前に、スライダに取り付けられたコイルバネが、ガイド部材の当接面に当接し圧縮される。これにより、スライダを押し戻す方向へ力が働く。そしてコイルバネの力よりも強い力で蓋部材を閉める方向へ揺動させると、蓋部材はコイルバネの弾性力に抗してゆっくりと閉まる。
【０００９】
【発明の実施の形態】
以下、この発明の実施形態について図面に基づいて説明する。図１〜図４は、この発明の一実施形態を示すもので、この実施形態の換気用開閉部材１０は、室内の所定位置、例えば窓際に、長尺部材である枠部材１４が水平方向に設けられ、建築物の構造材１１、窓枠材１３や内装材１７の間に取り付けられている。枠部材１４の長手方向に対して直角な断面形状は、上方に開口するコの字形であり、両脇に形成される一対の縁部１５と、一対の縁部１５の間に形成される底部１６が設けられている。そして、底部１６の中央には、枠部材１４の長手方向に沿って水平方向に細長い透孔である換気口１２が形成されている。換気口１２は、図示しないダクトを介して屋外と連通している。底部１６の、換気口１２の両側縁部には、枠部材１４の長手方向に沿って、気密材であるパッキン１８が設けられ、後述する蓋部材５２に密着し、確実に換気口１２を閉鎖する。そして枠部材１４の底部１６のパッキン１８の外側には、後述する蓋部材５２の軸部５６を受ける軸受け部２５が一体に形成されている。
【００１０】
枠部材１４の長手方向両端部の底部１６には、各々ガイド部材２０が一対のボルト２２で固定されている。ガイド部材２０は、断面が一定の略コの字形の長尺部材であり、枠部材１４の長手方向に対してほぼ直角に設けられている。そしてガイド部材２０は、枠部材１４の底部１６に重ねられて設けられる下面２４と、下面２４に対して直角な側面２６と、下面２４に対して平行な上面２７が設けられている。そして側面２６の一端部には、側面２６に対して直角に内側に折り曲げられた当接面２８が設けられている。側面２６の中央には、枠部材１４の底部１６に対して平行な長円状の長孔３０が形成されている。下面２４と上面２７には、当接面２８が設けられた端部と反対側寄りに、後述するスライダ３４が係止される係止部である透孔３２が各々互いに対向する位置に設けられている。
【００１１】
ガイド部材２０は、後述する蓋部材５２の両脇に位置するように一対設けられ、側面２６が互いに対面するように対称形に取り付けられている。そして、ガイド部材２０の当接面２８は、後述する蓋部材５２の軸部５６から離れた方に位置している。
【００１２】
ガイド部材２０の内側には、樹脂製のスライダ３４が摺動可能に設けられている。スライダ３４は、ガイド部材２０の内側にわずかなゆとりを有して摺動可能に嵌合される矩形のブロック体である。スライダ３４のほぼ中央には、スライダ３４を、ガイド部材２０の側面２６に対して平行に、そしてガイド部材２０の下面２４と上面２７に対して直角に貫通する挿通孔３６が設けられている。挿通孔３６の内側両端部には、挿通孔３６内を摺動可能に嵌合された球体３８が一対設けられている。一対の球体３８の間には、球体３８を、適度な力で外側へ付勢するコイルバネ４０が設けられている。スライダ３４の、ガイド部材２０の当接面２８に近い部分には、スライダ３４を、ガイド部材２０の側面２６に対して直角に、そしてガイド部材２０の下面２４と上面２７に対して平行に貫通する挿通孔４２が設けられている。挿通孔４２には軸部材４４が挿通されている。軸部材４４の一端部は、ガイド部材２０の長孔３０に差し込まれ、ガイド部材２０の外側へ突出している。
【００１３】
スライダ３４の、ガイド部材２０の当接面２８に近い端部には、弾性部材であるコイルバネ４６が、当接面２８へ向けて取り付けられている。コイルバネ４６の基端部には、コイルバネ４６の針金が半円状に曲げられた保持部４８が設けられている。保持部４８は軸部材４４に係合されて、コイルバネ４６を軸部材４４留めている。
【００１４】
そして、ガイド部材２０の長孔３０から外側へ突出した軸部材４４の端部には、アーム部材５０の一端部５０ａが軸支されている。アーム部材５０の他方の端部５０ｂは、蓋部材５２に軸支されている。
【００１５】
蓋部材５２には、枠部材１４の一対の縁部１５内側にゆとりを有して嵌合される大きさに形成され、細長い矩形の天板５４が設けられている。そして、天板５４の長手方向に対して平行に位置する一側縁部には、蓋部材５２を枠部材１４に対して揺動自在に取り付ける軸部５６が一体に設けられている。天板５４には、蓋部材５２を開閉する際に使用する図示しない持ち手が設けられ、持ち手には蓋部材５２を枠部材１４に係止する係止部材や、カギ等が設けられても良い。
【００１６】
蓋部材５２の天板５４の内側面には、換気口１２を閉鎖する薄い箱型の遮蔽部材５８が固定されている。遮蔽部材５８の、蓋部材５２の長手方向に対して直角な一対の側面６０には、アーム部材５０の端部５０ｂが各々軸支されている。
【００１７】
次に、この実施形態の換気用開閉部材１０の組立方法について説明する。まず、枠部材１４を構造材１１や窓枠材１７に取り付ける。そして枠部材１４の底部１６にガイド部材２０を、ボルト２２により取り付ける。そしてガイド部材２０の内側にスライダ３４を入れる。このとき、スライダ３４の挿通孔３６に球体３８とコイルバネ４０を押し込めながらガイド部材２０の上面２６と下面２４の間に入れる。そして、コイルバネ４６、アーム部材５０、蓋部材５２、パッキン１８等を所定の順に取り付ける。
【００１８】
次に、この実施形態の換気用開閉部材１０の使用方法について説明する。まず、蓋部材５２を枠部材１４に対して閉めるときは、軸受け部２５に軸支された軸部５６を中心として、蓋部材５２を閉める方向に揺動させる。アーム部材５０は蓋部材５２とともに移動し、アーム部材５０の端部５０ａに取り付けられたスライダ３４は、ガイド部材２０に沿って図面上で左方向に移動する。これに伴い、蓋部材５２が閉まる直前に、スライダ３４に取り付けられたコイルバネ４６がガイド部材２０の当接面２８に当接する。そして、コイルバネ４６の弾性力により、スライダ３４に対して図面上で右側へ押す力が働く。そして、コイルバネ４６の弾性力以上の強い力で蓋部材５２を閉める方向へ回動させると、図２に示すように、蓋部材５２はコイルバネ４６の弾性力に抗してゆっくりと閉まる。このとき、蓋部材５２が枠部材１４に衝撃や音が発生せず、静かに閉まる。そして蓋部材５２の遮蔽部材５８は、枠部材１４のパッキン１８に当接し、通気口１２を密閉して閉鎖する。
【００１９】
また、蓋部材５２を枠部材１４に対して開けるときは、蓋部材５２の図示しない持ち手を持って、軸受け部２５に軸支された軸部５６を中心として、蓋部材５２を開ける方向へ揺動させる。このとき、アーム部材５０は蓋部材５２とともに移動し、スライダ３４は、ガイド部材２０に沿って図面上で右方向に移動する。そしてコイルバネ４６は当接面２８から離れる。蓋部材５２が所定角度に開き、スライダ３４の一対の球体３８がガイド部材２０の下面２４と上面２６の透孔３２に一致するとき、球体３８はコイルバネ４０により透孔３２に落とし込まれ、スライダ３４がガイド部材２０に係止される。これにより蓋部材５２は枠部材１４に対して所定角度で保持される。
【００２０】
蓋部材５２と枠部材１４の係止を解除するときは、蓋部材５２を一定以上の力で動かし、球体３８がガイド部材２０の下面２４または上面２７に押されてコイルバネ４０が圧縮される。そして球体３８が挿通孔３６の内側へ引っ込み、係止が解除され、蓋部材５２は自由に動く。蓋部材５２は、枠部材１４に保持される所定角度を越えて開くことも可能であり、枠部材１４に対してほぼ直角に開き、メンテナンス等に便利である。
【００２１】
この実施形態の換気用開閉部材１０によれば、簡単な構造で製造コストが安価であり、蓋部材５２を換気口１２側に閉めるときは、静かに閉めることができる。また、閉める前に、コイルバネ４６の弾性力により蓋部材５２を開ける方向に力が加えられるため、騒音や衝撃が抑えられ、円滑に閉めることができる。
【００２２】
なお、この発明の換気用開閉部材は、上記実施形態に限定されるものではなく、枠部材やガイド部材等、各部材の形状は自由に変更可能である。蓋部材を開ける方向へ付勢する弾性部材は、常時上記蓋部材を開方向に付勢していても良く、コイルバネ以外でも良い。また、圧縮状態でスライダを押し戻す方向に付勢する圧縮バネ以外に、引張状態でスライドを引き戻す引張バネでも良い。また蓋部材の形状も問わないものであり、片開きの他に両開きでも良い。また、蓋部材の両脇にアーム部材とスライダ、ガイド部材が各々設けられていなくても良く、蓋部材の中心や、片側一方に設けられても良い。
【００２３】
【発明の効果】
この発明の換気用開閉部材は、簡単な構造で製造コストが安価であり、蓋部材を換気口側に閉めるとき、蓋部材を開く方向の力に抗してゆっくりと閉じることができ、静かで安全に操作することができる。
【図面の簡単な説明】
【図１】  この発明の一実施形態の換気用開閉部材の縦断面図である。
【図２】  この実施形態の換気用開閉部材の換気口を閉じた状態を示す縦断面図である。
【図３】  この実施形態の換気用開閉部材の横断面図である。
【図４】  この実施形態の換気用開閉部材の斜視図である。
【符号の説明】
１０  換気用開閉部材
１２  換気口
１４  枠部材
１６  底部
１８  パッキン
２０  ガイド部材
２２  ボルト
２５  軸受け部
２８  当接面
３０  長孔
３２  透孔
３４  スライダ
３６，４２  挿通孔
３８  球体
４０，４６  コイルバネ
４４  軸部材
４８  保持部
５０  アーム部材
５２  蓋部材
５４  天板
５６  軸部
５８  遮蔽部材
【図１】
0003908531.tif 000002
【図２】
0003908531.tif 000003
【図３】
0003908531.tif 000004
【図４】
0003908531.tif 000005